(57)【要約】【課題】本発明は、制約のある本体内にノイズフィルタを配するとともに、ノイズフィルタの冷却性能向上と、ノイズフィルタへの他からのノイズ遮蔽性能を向上した誘導加熱調理器を提供すること。【解決手段】ノイズフィルタ基板２７および電源コード電源接続部２９の前面と左右を囲う金属により形成されたフィルターカバー３１により、ノイズフィルタへの加熱コイルからの漏洩磁束からのノイズ遮蔽性能を向上することができる。【選択図】図１
2010129174.tif 000002
【特許請求の範囲】
【請求項１】
外郭を構成する本体外郭と、本体上部に設けた被加熱物を載置するトッププレートと、トッププレートの下方に設けられた前記被加熱物を誘導加熱する加熱コイルと、本体内の左右何れかの片側に設けられたロースターと、ロースター横の本体略中央に設けたロースター仕切り板と、ロースター仕切り板を隔ててロースターと反対側の本体の外郭外面前部に設けられた開閉式の操作部と、前記操作部と隙間を有し、かつ操作部を収納する操作部ケースと、操作部ケースの本体内方に設けた開口穴と、操作部ケース後方の本体内に設けた操作部と操作部ケースの隙間から操作部ケースの開口穴を通して調理器本体外の空気を吸気するファンと、ファンにより略後方へ送風された冷却風の下流側に設けた基板ベースで保持した加熱部の出力を制御する回路基板と、回路基板後方の外郭後側面にノイズフィルタ基板ホルダに取り付けたられたノイズフィルタ基板と、ノイズフィルタ基板の下方の外郭後側面開口穴より挿入された電源コードの電源コード電源接続部と、前記ノイズフィルタ基板および電源コード電源接続部の前面と左右を囲う金属により形成されたフィルターカバーと前記本体の外郭後方の上部に冷却風の出口となる排気口を設けた誘導加熱調理器。
【請求項２】
本体外郭を金属で形成するとともにアース接続し、フィルターカバーを当接させた請求項１に記載の誘導加熱調理器。
【請求項３】
電源コードアース接続部をノイズフィルタ基板の下方で外郭後側面締め付けるとともにフィルターカバーにより電源コードアース締め付け部を覆う構成とした請求項１に記載の誘導加熱調理器。
【請求項４】
基板ベースの下面に、ファンからフィルターカバー下穴に通気経路を構成する外郭底と当接するリブを設けた請求項１に記載の誘導加熱調理器。
【請求項５】
フィルターカバーの任意の箇所に開口穴を設けた請求項１に記載の誘導加熱調理器。
【請求項６】
トッププレートを支える金属製のアンダーフレームをプレート下部に設け、アンダーフレームでノイズフィルタ基板上部を覆う構成とした請求項１に記載の誘導加熱調理器。
【請求項７】
フィルターカバーの一部を金属製の本体外郭にねじにより締め付ける構成とした請求項２に記載の誘導加熱調理器。
【請求項８】
ロースターと、基板ベースおよびフィルターカバーおよびファンおよび操作部との間にロースター仕切り板を設けた請求項１に記載の誘導加熱調理器。
【発明の詳細な説明】
【技術分野】
【０００１】
本発明は、誘導加熱調理器に関するものである。
【背景技術】
【０００２】
従来、この種の誘導加熱調理器は、図５に示すように、加熱コイル１と、整流回路２と、前記整流回路２に接続され加熱コイル１に高周波電流を発生させるインバータ回路３と、前記加熱コイル１による加熱を制御する制御回路４とを有する本体ユニット５、前記制御回路４に直流定電圧を供給するスイッチング電源６と、商用電源７と整流回路２の間に接続される第１のノイズフィルタ８ａと、商用電源７とスイッチング電源６の間に接続される第２のノイズフィルタ８ｂとを有するサブユニット９を備え、本体ユニット５を構成する本体ユニット筐体１０を導電磁性体で形成し本体ユニット５とサブユニット９とのノイズ干渉を防止する構成としている（例えば、特許文献１参照）。
【特許文献１】特開２００７−３１１２４４号公報
【発明の開示】
【発明が解決しようとする課題】
【０００３】
しかしながら、前記従来の構成では、本体と別にノイズフィルタをユニットとして構成しなければならず、特にキッチンに組み込む誘導加熱調理器は、キッチン上面の開口穴からの組み込み時の作業性や、キッチン内部の構造的あるいはスペースの制約があり、本体外にノイズフィルタを構成することは困難とであった。また、近年、この種の誘導加熱調理器は、総電力５８００Ｗの機器が主流となっており、２００Ｖであるが、約２９Ａの電流が電源部に配したノイズフィルタに流れ、ノイズフィルタ内の電気抵抗による部品の温度上昇も高くなり、部品によっては、冷却を必要とするため、本体と別に構成するノイズフィルタの部品冷却の課題を有していた。
【０００４】
本発明は、前記従来の課題を解決するもので、制約のある本体内にノイズフィルタを配するとともに、ノイズフィルタの部品の温度上昇を部品温度許容値以下とするように冷却を行うことができ、ノイズフィルタへの加熱コイルからの漏洩磁束やスイッチング電源から発せられる電磁ノイズからのノイズ遮蔽性能を向上した誘導加熱調理器を提供することを目的とする。
【課題を解決するための手段】
【０００５】
前記従来の課題を解決するために、本発明の誘導加熱調理器は、調理器本体外の空気を吸気するファンと、ファンにより略後方へ送風された冷却風の下流側に設けた基板ベースで保持した加熱部の出力を制御する回路基板と、回路基板後方の外郭後側面にノイズフィルタ基板ホルダに取り付けたられたノイズフィルタ基板と、ノイズフィルタ基板の下方で外郭後側面内に配した電源コード電源接続部と、前記ノイズフィルタ基板および電源コード電源接続部の前面と左右を囲う金属により形成されたフィルターカバーを設けたものである。
【０００６】
これによって、ノイズフィルタ基板および電源コード電源接続部の前面と左右を囲う金属により形成されたフィルターカバーにより、ノイズフィルタへの加熱コイルからの漏洩磁束やスイッチング電源から発せられる電磁ノイズからのノイズ遮蔽性能を向上することができる。また、調理器本体外の空気を吸気するファンにより送風された冷却風をフィルターカバー内に通気し、ノイズフィルタの上方のフィルターカバー外へ排気する通気経路を設けることにより、ノイズフィルタの構成部品を冷却することができ、部品発熱による温度上昇破壊を抑えることができる。また、さらに、本体内にノイズフィルタを構成して
いるため、キッチン上方の開口穴から挿入して、本体をセットする際、ノイズフィルタが邪魔になることはなく、スムーズにセットすることができる。
【発明の効果】
【０００７】
本発明の誘導加熱調理器は、本体制約内にノイズフィルタを収め、ノイズフィルタ構成部品の冷却を行うとともに、ノイズフィルタへの加熱コイルからの漏洩磁束やスイッチング電源から発せられる電磁ノイズからのノイズ遮蔽性能を向上することができる。
【発明を実施するための最良の形態】
【０００８】
第１の発明は、外郭を構成する本体外郭と、本体上部に設けた被加熱物を載置するトッププレートと、トッププレートの下方に設けられた前記被加熱物を誘導加熱する加熱コイルと、本体内の左右何れかの片側に設けられたロースターと、ロースター横の本体略中央に設けたロースター仕切り板と、ロースター仕切り板を隔ててロースターと反対側の本体の外郭外面前部に設けられた開閉式の操作部と、前記操作部と隙間を有し、かつ操作部を収納する操作部ケースと、操作部ケースの本体内方に設けた開口穴と、操作部ケース後方の本体内に設けた操作部と操作部ケースの隙間から操作部ケースの開口穴を通して調理器本体外の空気を吸気するファンと、ファンにより略後方へ送風された冷却風の下流側に設けた基板ベースで保持した加熱部の出力を制御する回路基板と、回路基板後方の外郭後側面にノイズフィルタ基板ホルダに取り付けたられたノイズフィルタ基板と、ノイズフィルタ基板の下方の外郭後側面開口穴より挿入された電源コードの電源コード電源接続部と、前記ノイズフィルタ基板および電源コード電源接続部の前面と左右を囲う金属により形成されたフィルターカバーと前記本体の外郭後方の上部に設けた冷却風の出口となる排気口を設けることにより、ノイズフィルタ基板および電源コード電源接続部の前面と左右を囲う金属により形成されたフィルターカバーにより、ノイズフィルタへの加熱コイルからの漏洩磁束やスイッチング電源から発せられる電磁ノイズからのノイズ遮蔽性能を向上することができる。
【０００９】
また、調理器本体外の空気を吸気するファンにより送風された冷却風をフィルターカバー内に通気し、ノイズフィルタの上方のフィルターカバー外へ排気する通気経路を設けることにより、ノイズフィルタの構成部品を冷却することができ、部品発熱による温度上昇破壊を抑えることができる。
【００１０】
また、さらに、本体内にノイズフィルタを構成しているため、キッチン上方の開口穴から挿入して、本体をセットする際、ノイズフィルタが邪魔になることはなく、スムーズにセットすることができる。
【００１１】
第２の発明は、特に、第１の発明の本体外郭を金属で形成するとともにアース接続し、フィルターカバーを当接させたことにより、接地電位部分としてのアースに接続されているため、加熱コイルで発生する漏洩磁束は本体外郭および、フィルターカバーによってシールドされ接地電位部分としてのアースに吸収されるため、ノイズ遮蔽性能を向上することができる。
【００１２】
第３の発明は、特に、第１の発明の電源コードアース接続部をノイズフィルタ基板の下方で外郭後側面締め付けるとともにフィルターカバーにより電源コードアース締め付け部を覆う構成としたことにより、アース接続部を電源コードの本体挿入口近傍でかつ、本体後方下方で、スイッチング電源や加熱コイルから距離も遠くとれ、フィルターカバーによりシールドされているため、ノイズフィルタへの加熱コイルからの漏洩磁束やスイッチング電源から発せられる電磁ノイズからのノイズ遮蔽性能を向上することができる。
【００１３】
第４の発明は、特に、第１の発明の基板ベースの下面に、ファンからフィルターカバー
下穴に通気経路を構成する外郭底と当接するリブを設けることにより、調理器本体外の空気を吸気するファンにより送風された冷却風をフィルターカバー内に通気し、ノイズフィルタの上方のフィルターカバー外へ排気する通気経路を構成でき、ノイズフィルタの構成部品をファンから直接冷却することができ、部品発熱による温度上昇破壊を抑えることができる。
【００１４】
第５の発明は、特に、第１の発明のフィルターカバーの任意の箇所に開口穴を設けたことにより、調理器本体外の空気を吸気するファンにより送風された冷却風をフィルターカバー内に通気して排気する通気面積を増やすことができ、ノイズフィルタの構成部品の冷却を向上することができ、部品発熱による温度上昇破壊を抑えることができる。
【００１５】
第６の発明は、特に、第１の発明のトッププレートを支える金属製のアンダーフレームをプレート下部に設け、アンダーフレームでノイズフィルタ基板上部を覆う構成とすることにより、加熱コイルで発生する漏洩磁束はアンダーフレームにより遮蔽され、ノイズフィルタへのノイズ遮蔽性能を向上することができる。
【００１６】
第７の発明は、特に、第２の発明のフィルターカバーの一部を金属製の本体外郭にねじにより締め付ける構成としたことにより、加熱コイルで発生する漏洩磁束は本体外郭および、フィルターカバーによってシールドされ、確実にフィルターカバーがねじ締めによりアースにつながり、接地電位部分としてのアースに吸収されるため、ノイズ遮蔽性能を向上することができる。
【００１７】
第８の発明は、特に、第１の発明のロースターと、基板ベースおよびフィルターカバーおよびファンおよび操作部との間に中仕切り板を設けることにより、ロースターからの熱影響を低減し、ノイズフィルタの構成部品の冷却を向上することができ、部品発熱による温度上昇破壊を抑えることができる。
【００１８】
以下、本発明の実施の形態について、図面を参照しながら説明する。なお、本実施の形態によって本発明が限定されるものではない。
【００１９】
（実施の形態１）
図１は、本発明の第１の実施の形態における誘導加熱調理器の断面図を示すものである。図２は、本発明の第１の実施の形態における誘導加熱調理器の内部の構成を示す斜視概略図を示すものである。図３は、本発明の第１の実施の形態における誘導加熱調理器のノイズフィルタ取り付け部詳細図を示すものである。図４は、本発明の第１の実施の形態における誘導加熱調理器のブロック図を示すものである。
【００２０】
図１において、金属で形成された誘導加熱調理器の本体外郭１１は、キッチン１２の上面開口部から挿入設置されている。本体外郭１１上面には、本体外郭１１の上面を覆うとともに本体外郭１１をキッチンの上面開口部から挿入設置したときに本体外郭１１を支えるトップユニット部１３、トップユニット部１３を構成する鍋などを載せる結晶化ガラスで形成したトッププレート１４とトッププレート下面を支える金属製のアンダーフレーム１５、本体外郭１１内のトップユニット部１３の下には、左側に左加熱コイル１６ａ（図２）、右側に右加熱コイル１６ｂ（図２）が置かれている。
【００２１】
また本体の左側で、左加熱コイル１６ａの下方にロースター１７（図２）が置かれている。ロースター１７の右側で、右加熱コイル１６ｂの下方には、基板ベース１８で保持した、左加熱コイル１６ａと右加熱コイル１６ｂに電流を供給し駆動制御する回路基板１９が配置されている。
【００２２】
前記回路基板１９には、整流回路２０（図４）とインバータ回路２１とスイッチング電源２２と制御回路２３が設けられている。
【００２３】
また、回路基板１９の前側に近接して本体外郭内に冷却風を送り込むファン２４を、ファンの前側に加熱操作設定を行う操作部２５を配置している。回路基板後方の外郭後側面にノイズフィルタ基板ホルダ２６に取り付けたられたノイズフィルタ基板２７を設け、ノイズフィルタ基板の下方の外郭後側面開口穴より挿入された電源コード２８の電源コード電源接続部２９をノイズフィルタ基板の下側の端子台に端子ねじにより接続している。
【００２４】
また、電源コードアース接続部３０は、ノイズフィルタ基板の下方で外郭後側面に締め付けて接続している。
【００２５】
前記ノイズフィルタ基板および電源コード電源接続部および電源コードアース接続部３０の前面と左右を囲うように金属製のフィルターカバー３１を形成しており、フィルターカバー３１は外郭後側面に当接するようにセットされ、フィルターカバーの一部に設けたフィルターカバーねじ締め部３２（図２）は本体外郭後側面とアンダーフレーム１５とで挟んでねじで共締めをする構成となっており、アンダーフレーム１５でノイズフィルタ基板上部を覆っている。
【００２６】
電源コード２８は、電源接続線２本とアース線１本が束になった３線一体式の構成となっている。
【００２７】
また、フィルターカバー３１には、任意のノイズ遮蔽効果が損なわれない範囲で、フィルターカバー通気穴３３が設けられている。
【００２８】
またさらに、基板ベース１８の下面に、ファン２４からフィルターカバー下穴に通気経路を構成する外郭底と当接するリブ３４を設けている。そして、ロースター１７と、基板ベース１８およびフィルターカバー３１およびファン２４および操作部２６との間に金属製の中仕切り板３５（図２）を配している。また、前記本体の外郭後方の上部に冷却風の出口となる排気口３６（図２）を設けている。
【００２９】
操作部２５は、操作部外方を形成する操作部ケース３７に内蔵され、操作部２５が開閉により操作部ケース３７内に収納されたり、操作部ケース３７外方に露出されたりする形態となっている。
【００３０】
操作部２５は、最上部に配した操作用押しボタン部３８と、その操作用押しボタン部３８下方に設けたボタンの操作を検知し回路基板へ信号を伝送するスイッチを有する操作基板３９と、操作基板３９を支持する操作基板ベース４０と、操作基板ベースを左右下方にて支持する左右支持部４１と、操作基板ベースと左右支持部の前面を塞ぐ前面板４２とで構成している。
【００３１】
また、操作部２５の上面の奥の略中央に幅が約５０ｍｍの操作部上面凸部を設け、また操作部ケースの上面の略中央に幅約５０ｍｍの下向き凸部を設けている。左右支持部の左右の下部とそれに対向した操作部ケース３７の側部にシャフト４３を通し、この部分を基点に開閉回動することにより、操作部２５が操作部ケース内に収納されたり、操作部ケース３７外方に露出されたりする。
【００３２】
この際、操作部２５の上面の奥に設けた操作部上面凸部は、操作部ケースの内面と隙間をもって回動する。操作部２５が開いたときには、操作部上面凸部が、操作部ケースの上面に設けた下向き凸部に当接し、回動が止まる。
【００３３】
操作部後方の操作部ケース３７に設けた操作部ケース開口穴４４を設けており、操作部ケース３７と操作部２５の間に有る約４ｍｍの隙間と連続した通気経路を構成している。
【００３４】
ファン２４は操作部ケース３７の奥に位置し、そのファン２４の奥に回路基板１９が配されている。ファン吸気口４５は操作部ケース側で排気口は回路基板側となる。
【００３５】
以上のように構成された誘導加熱調理器について、以下その動作、作用を説明する。
【００３６】
まず、冷却ファンの冷却風の流れについて説明する。図１および図２に冷却風の流れを矢印で記載する。
【００３７】
まず、冷却風は操作部ケース３７と操作部２５の間に有る約４ｍｍの隙間から外気が入り、操作部後方の操作部ケース３７に設けた操作部ケース開口穴４４を通って、ファン吸気口４５へ吸い込まれる。
【００３８】
吸い込まれた空気は、大きく４経路に分けられる。
【００３９】
１経路目は、ファン２４により基板ベース１８の下面に設けた外郭底と当接するリブ３４により形成された、ファン２４からフィルターカバー下穴に通じる通気経路に噴出され、通気経路を通ってフィルターカバー下穴に吹き込んだ冷却風は、フィルターカバー３１と外郭後側面で形成されたノイズフィルタ基板２７を内部に有する通気経路を通って、フィルターカバー３１上方の穴から排出され、さらに本体トップユニット後方に設けられた排気口３６（図２）へと流れ外へ排出される経路である。
【００４０】
２経路目は、ファン２４により基板ベース１８に取り付けられているスイッチング素子やダイオードブリッジといった発熱部品を有する回路基板１９へ噴出され、その後、後方のフィルターカバー３１のノイズ遮蔽効果が損なわれない範囲であけられたフィルターカバー通気穴３３へ流入し、フィルターカバー３１上方の穴もしくは別のフィルターカバー通気穴から排出され、さらに本体トップユニット後方に設けられた排気口３６へと流れ外へ排出される経路である。
【００４１】
３経路目は、ファン２４により右加熱コイル１６ｂを経由しながら本体トップユニット後方に設けられた排気口３６へと流れ外へ排出される経路である。
【００４２】
４経路目は、ファン２４により左加熱コイル１６ａを経由しながら本体トップユニット後方に設けられた排気口３６へと流れ外へ排出される経路である。
【００４３】
ノイズフィルタ基板２７は、コイル、コンデンサを備えている。特にコイルは自己発熱が大きい冷却対策が必要な部品であり、部品の配置によっては、近傍のコンデンサの温度も上昇させてしまうこともある。
【００４４】
本構成の１経路目の、基板ベース１８の下面に設けた外郭底と当接するリブ３４により形成された、ファン２４からフィルターカバー下穴に通じる通気経路に噴出され、通気経路を通ってフィルターカバー下穴に吹き込み、フィルターカバー３１と外郭後側面で形成されたノイズフィルタ基板２７を内部に有する通気経路を通って、フィルターカバー３１上方の穴から排出される通気経路構成により、ノイズフィルタ基板２７のコイルや、コンデンサを冷却することができる。
【００４５】
また、ファン２４からのダイレクトな送風経路を構成することで、冷却効果を向上させ
ることができる。
【００４６】
また、２経路目の、ファン２４により基板ベース１８に取り付けられているスイッチング素子やダイオードブリッジといった発熱部品を有する回路基板１９へ噴出され、その後、後方のフィルターカバー３１のノイズ遮蔽効果が損なわれない範囲であけられたフィルターカバー通気穴３３へ流入し、フィルターカバー上方の穴もしくは別のフィルターカバー通気穴から排出され、さらに本体トップユニット後方に設けられた排気口３６へと流れ外へ排出される通気経路構成により、特にノイズフィルタ基板２７の上方の１経路目で冷却効果が得られない箇所などを局部的に冷却することができ、１経路目とあわせて、ノイズフィルタ基板２７全体の冷却向上に効果を発揮することができる。
【００４７】
また、この際、中仕切板３５（図２）により、ロースター加熱時のロースターから熱影響を遮蔽し、本体右側の冷却経路に対する熱影響を低減することができ、ノイズフィルタ基板の冷却性能向上をおこなうことができる。
【００４８】
次に、回路接続および回路動作について説明する。
【００４９】
図４において商用電源と機器を接続するため電源コード２８の電源コード電源接続部２９がノイズフィルタ基板２７に接続される。
【００５０】
そしてノイズフィルタ基板２７と回路基板１９の整流回路２０が接続され、回路基板１９内で整流回路２０とインバータ回路２１が接続されており、インバータ回路２１に加熱コイルが接続されている。
【００５１】
またノイズフィルタ基板２７と回路基板１９上のスイッチング電源２２が接続され、回路基板１９内でスイッチング電源２２と制御回路２３が接続され、制御回路２３と操作部２５が接続されている。
【００５２】
ノイズフィルタ基板２７は発生するスイッチングノイズが商用電源の電源ラインに漏洩することを防止する。整流回路２０は商用電源の交流を直流に変換する。インバータ回路２１はスイッチング素子を数十ｋＨｚでスイッチングし加熱コイル１６ａ、１６ｂに高周波電流を発生させる。加熱コイルに高周波電流を発生させることで調理鍋等の負荷底部に誘導電流が発生し負荷が加熱される。
【００５３】
スイッチング電源２２はスイッチング素子を数百ｋＨｚ程度でスイッチングすることで商用電源電圧から制御回路２３に供給する直流電圧をつくる。
【００５４】
制御回路２３は操作部２５からの情報とインバータ回路２１からの情報に基づき、誘導加熱調理器の加熱を制御する。
【００５５】
使用者は操作部２５を操作することで調理時の火力調整を行う。
【００５６】
ノイズフィルタ基板２７は発生するスイッチングノイズが商用電源の電源ラインに漏洩することを防止するためのものであるが、ノイズフィルタ基板２７は他の部品が発する漏洩磁束の影響によって、ノイズ遮断性能が低下してしまう。
【００５７】
そこで本構成では、ノイズフィルタ基板２７および電源コード電源接続部２９および電源コードアース接続部３０の前面と左右を囲うように金属製のフィルターカバー３１を形成しており、フィルターカバー３１は外郭後側面に当接するようにセットされ、フィルターカバー３１の一部に設けたフィルターカバーねじ締め部３２（図２）は本体外郭後側面
とアンダーフレーム１５とで挟んでねじで共締めをする構成となっており、接地電位部分としてのアースに接続されているため、加熱コイルで発生する漏洩磁束やスイッチング電源から発せられる電磁ノイズは本体外郭および、フィルターカバーによってシールドされ接地電位部分としてのアースに吸収されるため、ノイズ遮蔽性能を向上することができる。
【００５８】
また、ノイズフィルタ基板２７は本体外郭最後方部に位置しており、スイッチング電源２２や加熱コイル１６ａ、１６ｂから距離も遠くとれ、他の部品が発する漏洩磁束のノイズフィルタ基板２７への影響を低減することができる。
【００５９】
またさらに、ノイズフィルタ基板２７の下方に電源コードの本体挿入口を設けることで、スイッチング電源２２や加熱コイル１６ａ、１６ｂから距離が遠くとれ、他の部品が発する漏洩磁束のノイズフィルタ基板２７から商用電源ラインである電源コード２８間における影響を低減することができる。
【００６０】
また、ノイズフィルタ基板２７の下方の外郭後側面開口穴より挿入された電源コード２８の電源コード電源接続部２９をノイズフィルタ基板２７の下側の端子台に端子ねじにより接続しているため、本体内に電源コード２８が挿入されて、基板に接続されるまでの電源コードのリードの長さが短くでき、他の部品が発する漏洩磁束から影響されるリードの長さが短いため、ノイズフィルタ基板２７から商用電源ラインである電源コード２８間における影響を低減することができる。
【００６１】
電源コードアース接続部３０は、ノイズフィルタ基板２７の下方で外郭後側面に締め付けて接続しているので、これもリードの長さが短くでき、他の部品が発する漏洩磁束から影響されるリードの長さが短いため、アース線への影響を低減することができ、３線が一体となっている電源コード２８のノイズフィルタ基板２７から商用電源ラインである電源コード２８への影響を低減することができる。
【００６２】
また金属製のアンダーフレームでノイズフィルタ基板上部を覆う構成とすることにより、加熱コイルで発生する漏洩磁束はアンダーフレームにより遮蔽され、ノイズフィルタへのノイズ遮蔽性能を向上することができる。
【００６３】
またさらに、フィルターカバー３１の一部を金属製の本体外郭にねじにより締め付ける構成としたことにより、確実にフィルターカバーがねじ締めによりアースにつながり、他の部品が発する漏洩磁束が接地電位部分としてのアースに吸収されるため、ノイズ遮蔽性能を向上することができる。
【００６４】
以上のように、本実施の形態においては、ノイズフィルタ基板および電源コード電源接続部の前面と左右を囲う金属により形成されたフィルターカバーにより、ノイズフィルタ基板への加熱コイルからの漏洩磁束やスイッチング電源から発せられる電磁ノイズからのノイズ遮蔽性能を向上することができる。
【００６５】
また、調理器本体外の空気を吸気するファンにより送風された冷却風をフィルターカバー内に通気し、ノイズフィルタの上方のフィルターカバー外へ排気する通気経路を設けることにより、ノイズフィルタの構成部品を冷却することができ、部品発熱による温度上昇破壊を抑えることができる。
【００６６】
さらに、本体外郭を金属で形成するとともにアース接続し、フィルターカバーを当接させたことにより、接地電位部分としてのアースに接続されているため、加熱コイルで発生する漏洩磁束は本体外郭および、フィルターカバーによってシールドされ接地電位部分と
してのアースに吸収されるため、ノイズ遮蔽性能を向上することができる。
【００６７】
また、電源コードアース接続部をノイズフィルタ基板の下方で外郭後側面締め付けるとともにフィルターカバーにより電源コードアース締め付け部を覆う構成としたことにより、アース接続部を電源コードの本体挿入口近傍でかつ、本体後方下方で、スイッチング電源や加熱コイルから距離も遠くとれ、フィルターカバーによりシールドされているため、ノイズフィルタへの加熱コイルからの漏洩磁束やスイッチング電源から発せられる電磁ノイズからのノイズ遮蔽性能を向上することができる。
【００６８】
また、トッププレートを支える金属製のアンダーフレームをプレート下部に設け、アンダーフレームでノイズフィルタ基板上部を覆う構成とすることにより、加熱コイルで発生する漏洩磁束はアンダーフレームにより遮蔽され、ノイズフィルタへのノイズ遮蔽性能を向上することができる。
【００６９】
また、さらに、フィルターカバーの一部を金属製の本体外郭にねじにより締め付ける構成としたことにより、加熱コイルで発生する漏洩磁束は本体外郭および、フィルターカバーによってシールドされ、確実にフィルターカバーがねじ締めによりアースにつながり、接地電位部分としてのアースに吸収されるため、ノイズ遮蔽性能を向上することができる。
【００７０】
またさらに、基板ベースの下面に、ファンからフィルターカバー下穴に通気経路を構成する外郭底と当接するリブを設けることにより、調理器本体外の空気を吸気するファンにより送風された冷却風をフィルターカバー内に通気し、ノイズフィルタの上方のフィルターカバー外へ排気する通気経路を構成でき、ノイズフィルタの構成部品をファンから直接冷却することができ、部品発熱による温度上昇破壊を抑えることができる。
【００７１】
そして、フィルターカバーの任意の箇所に開口穴を設けたことにより、調理器本体外の空気を吸気するファンにより送風された冷却風をフィルターカバー内に通気して排気する通気面積を増やすことができ、ノイズフィルタの構成部品の冷却を向上することができ、部品発熱による温度上昇破壊を抑えることができる。
【００７２】
そして、ロースターと、基板ベースおよびフィルターカバーおよびファンおよび操作部との間に中仕切り板を設けることにより、ロースターからの熱影響を低減し、ノイズフィルタの構成部品の冷却を向上することができ、部品発熱による温度上昇破壊を抑えることができる。
【００７３】
また、さらに、本体内にノイズフィルタを構成しているため、キッチン上方の開口穴から挿入して、本体をセットする際、ノイズフィルタが邪魔になることはなく、スムーズにセットすることができる。
【産業上の利用可能性】
【００７４】
以上のように、本発明にかかる誘導加熱調理器は、本体内でノイズフィルタの冷却と他からのノイズシールドを可能とするものであり、家庭用、業務用に限らずノイズフィルタの冷却と他からのノイズシールドが必要で本体外の制約がある誘導加熱調理器に有効である。
【図面の簡単な説明】
【００７５】
【図１】本発明の実施の形態１における誘導加熱調理器の断面図
【図２】本発明の実施の形態１における誘導加熱調理器の内部の構成を示す斜視概略図
【図３】本発明の実施の形態１における誘導加熱調理器のノイズフィルタ取り付け部詳細図
【図４】本発明の実施の形態１における誘導加熱調理器のブロック図
【図５】従来の誘導加熱調理器のブロック図
【符号の説明】
【００７６】
２、２０  整流回路
３、２１  インバータ回路
４、２３  制御回路
５  本体ユニット
６、２２  スイッチング電源
７  商用電源
８ａ  第１のノイズフィルタ
８ｂ  第２のノイズフィルタ
９  サブユニット
１０  本体ユニット筐体
１１  本体外郭
１２  キッチン
１３  トップユニット部
１４  トッププレート
１５  アンダーフレーム
１６ａ  左加熱コイル
１６ｂ  右加熱コイル
１７  ロースター
１８  基板ベース
１９  回路基板
２４  ファン
２５  操作部
２６  ノイズフィルタ基板ホルダ
２７  ノイズフィルタ基板
２８  電源コード
２９  電源コード電源接続部
３０  電源コードアース接続部
３１  フィルターカバー
３２  フィルターカバーねじ締め部
３３  フィルターカバー通気穴
３４  当接リブ
３５  中仕切り板（ロースター仕切り板）
３６  排気口
３７  操作部ケース
３８  操作用押しボタン部
３９  操作基板
４０  操作基板ベース
４１  左右支持部
４２  前面板
４３  シャフト
４４  操作部ケース開口穴（操作部ケースの本体内方に設けた開口穴）
４５  ファン吸気口
【図４】
2010129174.tif 000003
【図５】
2010129174.tif 000004
【図１】
2010129174.tif 000005
【図２】
2010129174.tif 000006
【図３】
2010129174.tif 000007